(57)【要約】水（３）を受取るための内部空間（２）を備え、内部空間（２）から水を注ぐための注ぎ口（４）を備える容器（１）を有する水やかん。さらに、水やかんはやかん内の水から粒子を捕獲するための粒子キャッチャー（９）を備えて提供される。粒子キャッチャー（９）は、やかんが直立している場合に上方に面している下降する粒子（１３）を捕獲するための入り口（１１）を有している。緩い粒子は水からこれによって捕らえられ、特に有効に保持される。さらに、かかる水やかんで使用するための粒子キャッチャーが記載される。
2004516054.tif 000002
【特許請求の範囲】
【請求項１】
水を収容する内部空間を備えた容器と、
前記内部空間から水を注ぐための注ぐ注ぎ口と、及び
やかんで水からの粒子を捕獲するための粒子キャッチャー、
を含む水やかんであって、前記粒子キャッチャーが前記やかんの水の加熱中に下方への流れを獲得する領域に位置し、前記やかんが直立位置にある場合に上方へ導かれる下へ向かって行く粒子を捕らえるための入り口を有することを特徴とする水やかん。
【請求項２】
注いでいる間に水をフィルタリングするためのフィルタをさらに含み、前記やかんが直立位置である場合に、注いでいる状態の前記粒子キャッチャーが前記フィルタの上流に位置し、前記入り口が前記フィルタの領域で下降する粒子を捕獲するために前記フィルタの下方に位置することを特徴とする請求項１に記載の水やかん。
【請求項３】
前記粒子キャッチャーの前記入り口は、前記フィルタと前記入り口との間の粒子の径路を妨げるように位置していることを特徴とする請求項２に記載の水やかん。
【請求項４】
前記粒子キャッチャーの前記入り口は、前記フィルタ側で実質的に前期フィルタの前面に沿って直接的に隣接しているか、若しくは前記フィルターから下方向に延在する壁に直接的に隣接することを特徴とする請求項３に記載の水やかん。
【請求項５】
前記フィルタは与えられた全幅を備えるフィルタ径路を有し、ここで前記粒子キャッチャーの前記入り口は前記フィルタ径路の前記与えられた全幅よりも広いことを特徴とする請求項２乃至４の何れか一に記載の水やかん。
【請求項６】
前記粒子キャッチャーの前記入り口よりも上の少なくとも一つのガイドをさらに含むことを特徴とする前述までの請求項１乃至５の何れか一に記載の水やかん。
【請求項７】
前記ガイドは前記フィルタの内部に向かって位置していることを特徴とする前述までの請求項２乃至５及び６の何れか一に記載の水やかん。
【請求項８】
前記ガイドは、前記やかんが直立位置で、前記入り口の上に位置する領域へ向かい傾斜して傾いている外部方向へ上部から底部まで延在する少なくとも一つの導くブレードを含むことを特徴とする請求項６若しくは７に記載の水やかん。
【請求項９】
前記水やかんが直立位置にある場合、一つは少なくとも部分的に他の上に位置している、少なくとも二つの個々のガイドをさらに含むことを特徴とする請求項６乃至８の何れか一に記載の水やかん。
【請求項１０】
前記フィルタ及び前記粒子キャッチャーが、前記容器から取り出し可能なアセンブリの部分を形成し、ここで前記入り口の他に前記粒子キャッチャーで径路を提供するように前記粒子キャッチャーの壁部分が前記フィルタに関して移動可能であることを特徴とする請求項２乃至５の少なくとも一に記載の水やかん。
【請求項１１】
前記粒子キャッチャーの移動可能な壁部分が前記フィルタに関して移動できることを特徴とする請求項１０に記載の水やかん。
【請求項１２】
前記アセンブリが取り出しできることにより、及び前記やかんの上面部分で閉じるために操作状態の前記アセンブリにより実質的に充満される陥凹を備えて提供されるリッドをさらに含むことを特徴とする請求項１１若しくは１２に記載の水やかん。
【請求項１３】
お互いの上に位置しており、同時に通路の最低部を形成する中央の粒子キャッチャー部分で曲った形状若しくはコーナーを有する前記通路を定義する、前記導くブレードに各々が統合され、少なくとも二つの前記粒子キャッチャーを含むことを特徴とする前述までの請求項１乃至１２の何れか一に記載の水やかん。
【請求項１４】
前述までの請求項１乃至１３の何れか一に記載の水やかんで使用するための粒子キャッチャー及びフィルタのアセンブリ。
【発明の詳細な説明】
【０００１】
本発明は、
水を収容する内部空間を備えた容器と、
内部空間から水を注ぐための注ぐ注ぎ口と、及び
やかんで水からの粒子を捕獲するための粒子キャッチャー、
を含む水やかんに関する。
【０００２】
本発明はまた、粒子キャッチャー及び前述の水やかんで使用されるフィルターのアセンブリに関する。
【０００３】
かかる水やかんは英国特許出願番号２３４４５０７にて既知である。水やかんで水を加熱する問題は析出規模である。析出した規模は、熱される水への伝熱を妨げる。また、緩い粒子は、茶のような飲料で不快な印象を与えて注がれている水に頻繁に伴ってくる。後者の問題は、注ぎ出す間に、フィルタによって熱した水が流れるかかる既知の水やかんで打ち消され、それによって緩い粒子は注ぐ間に阻止される。粒子キャッチャーは、ステンレス鋼ワイヤーガーゼのブロックを備えるホルダーとして構成される。このガーゼは、容器中の水からの規模はそれ自体を容易に堆積させる傾向があり、さらにある程度に緩い規模沈積物を捕らえるフィルタとして役立つ表面の役割をする。
【０００４】
水やかんは、注いでいる間に水をフィルターするフィルター及び水処理カートリッジを収容するためのハウジングを伴うカナダ国特許出願番号２２８７１２７から既知である。このハウジングはその垂直壁の経路を備えて提供され、フィルタの内部に存在する、つまりフィルタ及び注ぎ口によって注がれる以前に水が存在するフィルタ側である。ハウジング内の径路はガーゼで仕切られている。ハウジングは内側に向かう方向でフィルタから少しの距離で位置しており、通路の水がフィルタとハウジング間で循環できることにより、通路はハウジングとフィルタ間で垂直に延在している。
【０００５】
かかるやかんがお茶を入れる場合の茶葉のフラグメントなどの緩い規模粒子などの粒子が十分に捕獲できないことがこれらのやかんの欠点である。やかんが注ぐフィルタ出口を備えて提供される場合、少なくともやかん及びフィルタが規則的に徹底的にすすがれなければ、かかる粒子はやかん内で蓄積するだろう。これは、再度、出口フィルタの縮小された伝達に結びつく。粒子の規模はさらに沈積物の規模を促進する。やかんが出口フィルタを備えて提供されない場合、水に中の粒子は、注いでいる間に外部へともに運ばれる。かかる粒子は、加熱された水で調製された飲料における不快か、若しくは少なくとも魅力がない要素を成形する。
【０００６】
本発明の目的は、水やかんの水における緩い粒子をより効果的に捕獲することである。
【０００７】
本発明によると、本発明の目的は、粒子キャッチャーがやかんの水の加熱中に下方への流れを獲得する領域に位置し、やかんが直立位置にある場合に上方へ導かれる下へ向かって行く粒子を捕らえるための入り口を有することを特徴とする水やかんの手段によって達成される。
【０００８】
粒子キャッチャーがフィルタの領域で下る粒子を捕らえるために静止している位置で上方へ導かれる入り口を有するため、対流に起因する水循環からの粒子は水の加熱中に粒子キャッチャーで捕らえられる。水中に浮遊している粒子は、通常は水が停滞している場合に降下してくるであろう。したがって、入り口が上向きの方向へ開いているので、水の加熱が終わり、対流の流れが止まった後、トラッピングされた粒子は粒子キャッチャーの中で捕らえられ続ける。
【０００９】
本発明による水やかんでの水からの粒子を捕獲するために特に設計された粒子キャッチャー及びフィルタのアセンブリーとして、具体化されるかもしれない。
【００１０】
本発明による水やかんの実施態様の特定の有利な態様は従属項に定義される。
【００１１】
本発明は実施態様及び添付図に関して下記に詳細に例証され、説明されるであろう。
【００１２】
本発明は図１乃至６に描写される水やかん及びそれの構成部分に関して詳細に説明されるであろう。
【００１３】
かかる水やかんは、そこに水３を収容するための内部空間２を備える容器１を有する。さらに容器１は、内部空間２及び容器１の周辺と通じている注ぎ口４を有する。
【００１４】
さらに容器１は、リッド５、ハンドル６、及び概略的に描写されている加熱要素７を有している。この実施例の水やかんは加熱要素と適合しているが、提案された原理は、ガスストーブのバーナー若しくは電気ホットプレートなどの外部の加熱源又は誘導電磁界などの外部パワー源と協働するために設計される水やかんに十分に等しく適合される。
【００１５】
図３で明白なように、水３は注ぎ口４により容器１の内部空間２から外側方向に向かって注がれることができる。
【００１６】
この実施例のように、外側方向に向かう水３の流れをフィルタリングするためのフィルタ８は内部空間２に存在している（図３を参照）。しかしながら、さらにかかるフィルタは代替の位置に、例えば、リッド若しくは注ぎ口に、組み込まれるかもしれない。
【００１７】
注ぐ位置において（図３）、水３からの緩い粒子若しくはフレークの規模などの粒子を捕獲するための粒子キャッチャー９はフィルタ８のやかんの上流に位置している。底部１０を下にしてやかんが直立位置にある場合（図１及び２）、粒子キャッチャー９はフィルタ８間に位置している。水から捕らえられる粒子は、やかんがお茶を入れる場合の茶の葉のフラグメント、若しくは、水道本管からのさびのようなやかんへ導入された水の中にある粒子などの異なる種類であるかもしれない。粒子キャッチャー９は、フィルタの領域で下降する粒子を捕獲するためにやかんが直立位置である場合に上方に面している入り口１１を有している。
【００１８】
使用中に、図１に示される注ぎ口４によるか、若しくは図のリッド５で閉じられている容器１の上部によりやかんは充満される。やかんが充満することができ、好ましくはフィルタの上流に存在する、特別な充満入り口を備えるやかんを提供することが可能である。
【００１９】
やかんが望ましい量の水３で満たされた後、ヒーター要素７のスイッチが入り、やかんの水３が加熱される。次いで、循環が内部空間２及び水３の表面下の矢印で図３に示されるように滞留による水の導きが発生する。この循環は、内部空間２の中心で上方及び容器１の内部空間２の外側領域で下方に導かれる。粒子キャッチャー９の入り口１１が上方に面しているため、粒子キャッチャーの領域で下降する粒子１３は粒子キャッチャーによって捕獲される。一般に粒子は、流れがない状態で沈み、水の加熱が終わった後の上向きの開口部を有する粒子キャッチャーの内部で存続する傾向を示す。水やかんが出口フィルタを供給されない場合、これらの有利な作用は確かに得られる。さらに水からまだ堆積していないどんな規模も捕らえるために、ステンレス鋼ワイヤーガーゼ（図１にのみ概略的に示さされている）の要素１２のような元素を引きつける規模沈積要素は、粒子キャッチャー９に留まるかもしれない。さらに、かかる要素１２は粒子キャッチャーからのトラッピングされた粒子の逃避を打ち消すことができる。
【００２０】
図３に示されるように、やかんから水が注がれている間、沸騰中に粒子キャッチャー９により捕獲されない緩い粒子１４はフィルタ８によって阻止される。矢印１７で示されるように水やかんはさらに次第に傾けられる。粒子は、フィルタ８のガーゼ１５の前面で蓄積され、そのガーゼはフィルタ８のフィルタ径路１６に存在する。次いで、水３は、水３内の矢印で示されるように流れる。
【００２１】
例えば、図１で示されるような注ぎ口４により、やかんが再度満たされた後、径路１６の前面に集積された粒子はフィルタで洗浄され、入り口１１により少なくとも大部分のために粒子キャッチャーに入る。内部空間２の緩い粒子の量が連続的に上昇することはそれによって防がれる。このように、沈積物の規模の強化及びフィルタの詰まりが打ち消される。フィルタガーゼ１５の前面に集積された粒子は、大部分のためのフィルタガーゼから分離され、さらにやかんが、注ぎ口によってではなく内部空間２の開いた上部によって満たされれば、粒子が水面以下に来る場合に下へ沈む。次いで、粒子は入り口１１によって粒子キャッチャー９へ少なくとも大部分のために下る。
【００２２】
水の一部がやかんから注がれた場合、図４の矢印で示されているように効果はやかんが真っ直ぐになることで発生し、内部空間２での水のレベルはフィルタ８の側及び注ぎ口４で迅速に下降する。矢印に示されるように、この期間に水はフィルタ領域に下降移動する。さらにこの水の移動はフィルタガーゼ１５の前面で集積された粒子の緩みを引き起こし、これらの粒子はこの位置において大部分のために再度沈み、入り口１１により粒子キャッチャー９で捕獲される。
【００２３】
フィルタ８と入り口１１との間の粒子の径路が防がれるように粒子キャッチャー９の入り口１１が位置することは粒子キャッチャー９の入り口１１に向かう下降する粒子の導きに有利である。これは、フィルタ８に隣接して位置する側に沿ったフィルタ８に粒子キャッチャー９が直接接続される本実施例における水やかんで達成される。しかしながら、粒子を捕らえることの入り口とフィルタの間の粒子の径路を打ち消すことも、代替のやり方で達成されるかもしれない。したがって、例えば、入り口はフィルタの側でフィルタに直接的に合流するかもしれない。フィルタ側の入り口のエッジがフィルタから下方へ向けて延在する壁に直接合流し、次いで壁が粒子のための導きとして役立つことを提供することは可能である。
【００２４】
粒子キャッチャー９の入り口１１の幅がフィルタ径路１６の全幅より大きなことは、フィルタから下降する粒子にできるだけ大きな割合を捕らえることに更に有利である。この実施例のフィルタ径路１６の全幅は、径路１６の一つの最上部、つまり、一番広い幅によって定義される。しかしながら、全フィルタ径路が上部から見て重なるか、若しくはお互いに隣接して位置する数多の径路によって形成されることが可能である。その場合では、径路で全体として占められていた最も広い幅がフィルタ径路の全幅であり、また、粒子キャッチャーの入り口はこの全幅よりむしろ広くあるべきである。
【００２５】
図１乃至６に示される実施態様の水やかんは、図１及び２に描写されるように直立位置での水やかんで、フィルタ８の内部方向に位置し、粒子キャッチャー９の入り口１１の上に存在する３つのガイド１９備えて提供される。これらのガイド１９は、粒子の大部分が粒子キャッチャー９の入り口１１に到達するように、完全に空でない水やかんが再度直立にされた場合の充満中、対流による循環中、及び水の還流中の領域で水の流れを導く。しかしながら、ガイドを備えない上方に向いている直接的な入り口を備えて提供される粒子キャッチャーを伴う水やかんの使用が代替として可能である。
【００２６】
フィルタは、毎回径路１６より下の水平方向に延在する、横の壁２０を更に供給される。これらの横の壁は、注いでいる間に粒子キャッチャー９の入り口１１からの緩い粒子１４の移動を妨げる（図３参照）。緩い粒子１４はこれらの壁２０を認識する入り口１１に、より接近しているままである傾向があるので、フィルタ８から下降中若しくは洗浄中の粒子キャッチャー９外部で終了する危険性は制限される。このように、これらの壁はさらに、粒子キャッチャー９で捕獲される粒子の比率に良好な影響を与える。
【００２７】
水やかんのこの実施態様において、ガイドは水やかんが直立した位置にある場合にフィルタに向かって傾斜して上から下まで延在するブレード１９のガイドとして構築されるので、ガイドは特に効果的である。導くブレードのこの配位は、フィルタ８の領域の下方への水の流れがフィルタ８に沿って密接に濃縮されることを保証する。その回転において、これは、水中に浮遊している緩い粒子が粒子キャッチャー９の入り口１１に入り、粒子キャッチャー９の中に閉じ込められるだろう可能性を増大する。
【００２８】
水３が注いでいる間にガイド１９を容易く通過する一方で、数多の個々の導くブレード１９がお互いの上に提供され位置されるために、フィルタ８の背後の隣接する領域での下降する水の流れの密度の作用はフィルタの高さの上に広がる。
【００２９】
粒子キャッチャー９を空にして洗浄すること及びフィルタガーゼ１５の洗浄を容易にするために、フィルタ８及び粒子キャッチャー９は容器１から取ることができるアセンブリ２１の部分を形成する。加えて、粒子キャッチャー９の壁部分２２は、径路２３が入り口１１に加えて粒子キャッチャー９に提供される際にフィルタ８に関して移動可能である。設置される場合は、要素を引き付ける沈着規模１２は、この径路２３により置き換えられるかもしれない。図５で例証されるように、フィルタ８及び粒子キャッチャー９を備えるアセンブリ２１は簡素な手法でタップの下で濯がれ洗浄されるかもしれない。
【００３０】
粒子キャッチャー９へのアクセスは、粒子キャッチャーの移動可能な壁部分２２がフィルタ８に関して移動可能である、図５及び６のアセンブリでの簡素な手法で認識される。壁部分２２の操作状態は図６の点線２２´で示されている。
【００３１】
内部空間２でのアセンブリ２１の固定は描写されていないが、しかし、カナダ国特許出願番号２２８７１２７から本来周知である、例えばスナッププロジェクションの形態若しくは導くプロファイルの形態で認識されるかもしれない。
【００３２】
図７に示されるやかんの実施態様において、導くブレード４９は移動可能な構成であり、その結果水が注いでいる間にフィルタ３８に対して位置し、このように、特に効果的な手法でやかんから水を注いでいる間に粒子キャッチャー３９から遠ざかる粒子の移動を防ぐ。さらに、粒子キャッチャー３９は水が下方に流れ及び粒子キャッチャー３９から内側への流れによるフィルタガーゼ５１を備えて提供される。この後者の可能性は、粒子キャッチャー３９内への強い水の流れが可能である利点を有する。この流れに存在する粒子は、特に効果的な手法で粒子キャッチャー３９に導かれ、そこでのフィルタガーゼ５１によって止められる。
【００３３】
図８で示されるやかんの第二の代替となる実施態様において、フィルタ６８の内部に向かって位置する単一のガイド７９が提供される。このガイドは、粒子が容易く通過できるほど大きい（例えば３乃至５ｍｍの直径）径路８２を備えるプレートとして構成される。粒子キャッチャー６９は、フィルタガーゼ８１を備えて提供される。かかるプレート７９は単一構成を形成し、フィルタ６８の領域から粒子キャッチャー６９によるよりもさらに内側に位置する内部空間２の部分ヘ向かう水の流れを妨げる。所望であれば、プレート内の径路８２はフィルタに向かう下降傾向を示し、径路８２を経て水の流れを内部へ打ち消すためにふるい分けをすることを供給される。
【００３４】
水やかんは、取り出すことができる粒子キャッチャーとフィルターのアセンブリ７１による陥凹８５を備えて提供されるリッドを有する。この陥凹８５は、やかんの上部分で閉じるように、この実施例でアセンブリ７１の上部分による操作状態で実質的に充満される。注ぎ口はやかんから水を注ぐことを可能にするために自由にそれによって置かれている。アセンブリ７１はリッドを開かずにやかんから取り出せ、それはさらなる操作の容易さを増幅する。特に、フィルタを取り外すために構成部分が取り出される際に装置の外側でこの手法で使用するように直接的に可視できる。所望であれば、指示は、粒子キャッチャー６９、及びフィルタ６８の周期的な清掃に関係のあるやかんの上部に提供され、その直接参照する指示はアセンブリ７１が合成されるかもしれない。
【００３５】
粒子キャッチャーが充満しているかどうかを可視できるように、透明な窓８６がやかんの壁に提供され、窓８６に隣接して位置する陥凹８７が粒子キャッチャーに提供され、粒子キャッチャーの内部を検査することができるのぞき穴として役立つ。これは、粒子キャッチャー６９が簡素な手法でトラッピングされた粒子で充満される程度を観察することを可能にする。
【００３６】
逆さまのＪ字状の通路１１９を定義するハウジング１１８は、図９で示される水やかんの実施態様で提供される。ヒーター要素９７は、操作中の矢印で示される対流の流れを発生する、かかるチャンネル１１８の低部に提供される。この対流の流れは、流れが下方向の移動の構成部分を伴って主に粒子キャッチャー６９の入り口１０１に入り、粒子キャッチャー６９を横断する結果を伴い、Ｊ字状の通路１１９によって粒子キャッチャー９９の領域で下方向に強いられる。
【００３７】
図１０は、ガイド１３９がお互いに及びお互いの上に平行に位置している一方で、ガイド１３９と粒子キャッチャー１２９が統合している本発明による水やかんの実施態様を示す。この場合、粒子キャッチャー１２９は、この実施例ではＶ字状のガイド１３９の中央部分により形成される。ガイド１３９は、まず下方向に延在し、次いで上方向に延在し、内部から外部が見える、通路１４９を形成する。水の加熱中の対流の流れはガイド１３９と容器１２１の壁との間で下方に向かい、及びガイド１３９間で内部から外部への実質的な流れの際のやかんの中央から上方向への対流の流れによって増大される。粒子１３３はこの間に通路１４９の外部の曲り部分で下降し、そこでの流れは比較的弱い。
【００３８】
また、これらの粒子キャッチャーの入り口１３１は上方向に面しており、その結果、通常は水よりもいくらか大きい特異的な重力を有する粒子は、容器１２１での水１２３の加熱後に停止する対流の流れが停止している場合に、粒子キャッチャー内に再度留まるであろう。
【００３９】
この場合、捕獲される粒子を止めるために、十分に適すガーゼ物質から外部方向へガイド１３９の中央の部分から全体若しくは部分的に指すガイド１３９の部分を構築することはさらに可能である。粒子キャッチャー１２９の効率はさらにそれによって高めることができる。
【図面の簡単な説明】
【図１】
注ぎ口により充満している本発明の第一実施態様の水やかんの横断面図である。
【図２】
より小さい大きさで描写する、水やかんの水を加熱中である図１と同様の水やかんの図である。
【図３】
水やかんから水を注いでいる間の図２の水やかんと同様の図である。
【図４】
注いだ後の水やかんを直立位置に戻す間の図２及び３と同様の水やかんの図である。
【図５】
洗浄中の図１乃至４の水やかんのフィルタ／スケールキャッチャー要素の斜視図である。
【図６】
図５に示されている位置と比較して、逆さまの図５のフィルタ／スケールキャッチャー要素の斜視図である。
【図７】
本発明の第二実施態様の水やかんの切り抜き横断面図である。
【図８】
本発明の第三実施態様の水やかんの切り抜き横断面図である。
【図９】
本発明の第四実施態様の水やかんの下部を概略する横断面図である。
【図１０】
本発明の第四実施態様の水やかんの一部を概略する横断面図である。
【国際公開パンフレット】
2004516054.tif 000003
2004516054.tif 000004
2004516054.tif 000005
2004516054.tif 000006
2004516054.tif 000007
2004516054.tif 000008
2004516054.tif 000009
2004516054.tif 000010
2004516054.tif 000011
2004516054.tif 000012
2004516054.tif 000013
2004516054.tif 000014
2004516054.tif 000015
2004516054.tif 000016
2004516054.tif 000017
2004516054.tif 000018
2004516054.tif 000019
【国際調査報告】
2004516054.tif 000020
2004516054.tif 000021
2004516054.tif 000022